(57)【特許請求の範囲】
【請求項１】
ランプと、被照射面照度を検出する明るさセンサと、前記ランプ出力により演出されるシーンを複数だけ記憶する記憶部と、前記記憶部で記憶されたシーンの情報に基づいて、且つ、前記被照射面照度が略一定になるように前記ランプの光出力をフィードバック制御する制御部とを備えた照明装置において、
前記シーンのうちの少なくとも１つを基準シーンとし、
前記記憶部は、前記基準シーンを実現する為の前記明るさセンサの制御目標値と、前記基準シーンの為の制御目標値に対する倍率で表される他のシーンの為の制御目標値とを記憶するものであり、
被照射面照度が基準シーンでの照度となる点灯状態を維持した状態にして、制御部はそのときの明るさセンサの値を読み込み、その値を基準シーンの制御目標値として記憶部に記憶し、この基準シーンに対する倍率を他のシーンの制御目標値として同記憶部に記憶するようになしたことを特徴とする照明装置。
【請求項２】
前記各シーンの再生命令は、タイマ機器により行うことを特徴とする請求項１記載の照明装置。
【請求項３】
前記各シーンの再生命令は、リモートコントロール装置から送信されるリモコン信号により行うことを特徴とする請求項１記載の照明装置。
【請求項４】
前記各シーンの再生命令は、一定領域内の人体の有無を検出する人体検出部が行うことを特徴とする請求項１記載の照明装置。
【請求項５】
前記基準シーンを複数設けたことを特徴とする請求項１記載の照明装置。
【請求項６】
第１の基準シーンと、前記第１の基準シーンに対する所定の倍率で決定される第２の基準シーンとを設けたことを特徴とする請求項１記載の照明装置。
【請求項７】
前記倍率は、所定の上限値を有するものであることを特徴とする請求項１記載の照明装置。
【請求項８】
前記倍率は、所定の下限値を有するものであることを特徴とする請求項１記載の照明装置。
【発明の詳細な説明】
【０００１】
【発明の属する利用分野】
本発明は照明装置に関するものであり、更に詳しくは、被照射面照度を検出する明るさセンサを用いて被照射面照度を略一定に保つようにフィードバック制御するシーンを有する照明装置に関する。
【０００２】
【従来の技術】
本発明に係る従来例としては、被照射面照度を検出する明るさセンサを用いて被照射面照度を略一定に保つようにフィードバック制御するシーンを有する照明装置において、目標照度を複数設定し、それらを例えば時間に応じて切り替えるものがある。
【０００３】
また、その目標照度の設定方法としては、外光や周囲の明るさをも含めた状態で照度計にて確認するなどして所望の照度を実現し、そのときの明るさセンサに入射する光量を記憶させることによって行うものが有った。
【０００４】
【発明が解決しようとする課題】
しかし、前記従来例では、設定するシーン数が増えてくると、各々のシーンに対する目標照度の設定を行わなければならず、大きな手間が生じてしまう。
本発明は前記問題点に鑑みてなされたもので、その目的とするところは、設定するシーンの数量の大小に関わらず、各々のシーンに対する目標照度の設定を簡単に行うことが可能な照明装置を提供することである。
【０００７】
【課題を解決するための手段】
前記問題点を解決するために、請求項１記載の発明によれば、ランプと、被照射面照度を検出する明るさセンサと、ランプ出力により演出されるシーンを複数だけ記憶する記憶部と、記憶部で記憶されたシーンの情報に基づいて、且つ、被照射面照度が略一定になるようにランプの光出力をフィードバック制御する制御部とを備えた照明装置において、
シーンのうちの少なくとも１つを基準シーンとし、
記憶部は、基準シーンを実現する為の明るさセンサの制御目標値と、基準シーンの為の制御目標値に対する倍率で表される他のシーンの為の制御目標値とを記憶するものであり、
被照射面照度が基準シーンでの照度となる点灯状態を維持した状態にして、制御部はそのときの明るさセンサの値を読み込み、その値を基準シーンの制御目標値として記憶部に記憶し、この基準シーンに対する倍率を他のシーンの制御目標値として同記憶部に記憶するようになしたことを特徴とする
【００１０】
請求項２記載の発明によれば、請求項１記載の照明装置において、各シーンの再生命令は、タイマ機器により行うことを特徴とする。
【００１１】
請求項３記載の発明によれば、請求項１記載の照明装置において、各シーンの再生命令は、リモートコントロール装置から送信されるリモコン信号により行うことを特徴とする。
【００１２】
請求項４記載の発明によれば、請求項１記載の照明装置において、各シーンの再生命令は、一定領域内の人体の有無を検出する人体検出部が行うことを特徴とする。
【００１３】
請求項５記載の発明によれば、請求項１記載の照明装置において、基準シーンを複数設けたことを特徴とする。
【００１４】
請求項６記載の発明によれば、請求項１記載の照明装置において、第１の基準シーンと第１の基準シーンに対する所定の倍率で決定される第２の基準シーンとを設けたことを特徴とする。
【００１５】
請求項７記載の発明によれば、請求項１記載の照明装置において、倍率は所定の上限値を有するものであることを特徴とする。
【００１６】
請求項８記載の発明によれば、請求項１記載の照明装置において、倍率は所定の下限値を有するものであることを特徴とする。
【００１８】
【実施の形態】
（実施の形態１）
本発明に係る第１の実施の形態におけるブロック構成図を図１に示す。この照明装置は、記憶部で記憶されたシーンの情報に基づいて、且つ、被照射面照度が略一定になるように（ここでは、明るさセンサ３の検出値が略一定になるように）ランプの光出力をフィードバック制御する制御部１と、ランプ出力により演出されるシーンを複数だけ記憶する記憶部２と、被照射面照度を検出する明るさセンサ３と、ランプ（ここでは、蛍光ランプ）を有する照明器具４と、記憶されたシーンを記憶させる又は再生させる為のシーン記憶・再生手段５とから構成されるものである。制御部１では、明るさセンサ３の検出値が制御目標値に略一致する様に調光信号を制御し、その調光信号を照明器具４へと送信している。そして、シーンのうちの少なくとも１つを基準シーンとし、記憶部２は、基準となるシーン（以下、基準シーンと呼ぶ）の明るさと、基準シーンの明るさに対する倍率で表される他のシーンの明るさとを記憶する。例えば、基準シーンを実現する為の明るさセンサ３の制御目標値と、基準シーンの為の制御目標値に対する倍率で表される他のシーンの為の制御目標値とを記憶するものとする。
【００１９】
（実施の形態２）
本発明に係る第２の実施の形態におけるブロック構成図を図２に示す。
【００２０】
図１に示した第１の実施の形態と異なる点は、明るさセンサ３の検出値を増幅する信号増幅器６を設けたことであり、その他の第１の実施の形態と同一構成には同一符号を付すことにより説明を省略する。
【００２１】
（実施の形態３）
本発明に係る第３の実施の形態におけるブロック構成図を図３に示す。
【００２２】
図１に示した第１の実施の形態と異なる点は、シーン記憶・再生手段５の代わりに、リモコン信号を送信するリモートコントロール装置（以下、リモコンと呼ぶ。）８と、リモコン８からのリモコン信号を受信する受信部７とを設けたことであり、その他の第１の実施の形態と同一構成には同一符号を付すことにより説明を省略する。
【００２３】
この様に構成することでリモコン８からの再生命令によりシーンを再生することができる。
【００２４】
（実施の形態４）
本発明に係る第４の実施の形態におけるブロック構成図を図４に示す。
【００２５】
図１に示した第１の実施の形態と異なる点は、シーン記憶・再生手段５の代わりに操作部９を設けたことであり、その他の第１の実施の形態と同一構成には同一符号を付すことにより説明を省略する。
【００２６】
この様に構成することで操作部９からの再生命令によりシーンを再生することができる。
【００２７】
（実施の形態５）
本発明に係る第５の実施の形態におけるブロック構成図を図５に示す。
【００２８】
図１に示した第１の実施の形態と異なる点は、シーン記憶・再生手段５の代わりにタイマ機器１０（時計あるいはカウンタ）を設けたことであり、その他の第１の実施の形態と同一構成には同一符号を付すことにより説明を省略する。
【００２９】
この様に構成することでタイマ機器１０からの再生命令によりシーンを再生することができる。
【００３０】
（実施の形態６）
本発明に係る第６の実施の形態におけるブロック構成図を図６に示す。
【００３１】
図１に示した第１の実施の形態と異なる点は、シーン記憶・再生手段５の代わりに一定領域内の人体の有無を検出する人体検出部１１を設けたことであり、その他の第１の実施の形態と同一構成には同一符号を付すことにより説明を省略する。
【００３２】
この様に構成することで人体検出の有無に応じた再生命令によりシーンを再生することができる。
【００３３】
（実施の形態７）
本発明に係る第７の実施の形態におけるブロック構成図を図７に示す。
【００３４】
図１に示した第１の実施の形態と異なる点は、シーン記憶・再生手段５の代わりに一定領域内の人体の有無を検出する人体検出部１２と、リモコン８と、リモコン８からのリモコン信号を受信する受信部７とを設けたことであり、その他の第１の実施の形態と同一構成には同一符号を付すことにより説明を省略する。
【００３５】
この様に構成することで人体検出の有無に応じた再生命令とリモコン８からの再生命令とによりシーンを再生することができる。
【００３６】
（実施の形態８）
本発明に係る第８の実施の形態におけるブロック構成図を図８に、記憶部２での各シーンに対する記憶項目を図９に、タイミングチャートを図１０に示す。
【００３７】
図３に示した第３の実施の形態と異なる点はタイマ機器１０を設けたことであり、第３の実施の形態と同一構成には同一符号を付すことにより説明を省略する。
【００３８】
以下、動作を簡単に説明する。
ここではオフィスを想定して各シーンを次の様に設定する。
シーン０：通常勤務時間帯で被照射面照度が約１０００ｌｘ（ルクス）を維持する。
シーン１：勤務時間前の時間帯でシーン０の約５０％（約５００ｌｘ）の照度を維持する。
シーン２：昼休み時間帯でシーン０の約３０％（約３００ｌｘ）の照度を維持する。
シーン３：勤務時間終了後の時間帯（例えば残業時間帯）でシーン０の約７０％（約７００ｌｘ）の照度を維持する。
シーン４：特別作業の時間帯でシーン０の約１５０％（約１５００ｌｘ）の照度を維持する。
【００３９】
各シーンの設定手順は次の通りである。
シーン０の場合：イ）リモコン８より受信部７に、強制的に調光点灯する旨の命令信号を送信し、被照射面照度が約１０００ｌｘになるようにする。
ロ）その点灯状態を維持した状態で、リモコン８より受信部７に、その点灯状態を記憶する旨の命令信号（記憶信号）を送信する。
ハ）受信部７を介して記憶信号を受信した制御部１は、そのときの明るさセンサ３の値を読み込み（ここで、読み込んだ値をＸ［Ｖ］とする）、その値をシーン０の制御目標値として記憶部２に記憶する。
シーン１の場合：ニ）リモコン８より受信部７に、シーン０の５０％に設定する旨の命令信号（設定信号）を送信する。
ホ）受信部７を介して設定信号を受信した制御部１は、シーン０に対する倍率（５０％）をシーン１の制御目標値として記憶部２に記憶する。
シーン２〜４もシーン１と同様に設定する。（図９を参照）
シーンの再生手順は次の通りである。（図１０も参照）
１）電源ＯＮのときに、タイマ機器１０より制御部１に、シーン１の再生命令が入力されてシーン１が再生される。このときの明るさセンサ３の制御目標値は、図９にも示すように、シーン０の制御目標値Ｘ［Ｖ］の０．５倍となる。また、このときの被照射面照度は約５００ｌｘに維持される。
２）通常勤務時間帯が開始になると、タイマ機器１０より制御部１に、シーン０の再生命令が入力されてシーン０が再生される。このときの明るさセンサ３の制御目標値は、図９にも示すようにＸ［Ｖ］となる。また、このときの被照射面照度は約１０００ｌｘに維持される。
３）昼休み時間帯が開始になると、タイマ機器１０より制御部１に、シーン２の再生命令が入力されてシーン２が再生される。このときの明るさセンサ３の制御目標値は、図９にも示すように、シーン０の制御目標値Ｘ［Ｖ］の０．３倍となる。また、このときの被照射面照度は約３００ｌｘに維持される。
４）昼休み時間帯が終了して通常勤務時間帯が開始になると、タイマ機器１０より制御部１に、シーン０の再生命令が入力されてシーン０が再生される。
５）通常勤務時間帯の途中でシーン４を再生したいときには、リモコン８より受信部７を介して制御部１に、シーン４の再生命令が入力されてシーン４が再生される。このときの明るさセンサ３の制御目標値は、図９にも示すように、シーン０の制御目標値Ｘ［Ｖ］の１．５倍となる。また、このときの被照射面照度は約１５００ｌｘに維持される。
６）シーン４を終了して通常勤務時間帯のシーン０を再生したいときには、リモコン８より受信部７を介して制御部１に、シーン０の再生命令が入力されてシーン０が再生される。
７）通常勤務時間帯が終了して残業時間帯が開始すると、タイマ機器１０より制御部１に、シーン３の再生命令が入力されてシーン３が再生される。このときの明るさセンサ３の制御目標値は、図９にも示すように、シーン０の制御目標値Ｘ［Ｖ］の０．７倍となる。また、このときの被照射面照度は約７００ｌｘに維持される。
８）電源をオフすると全てのシーンの再生が停止されて消灯となる。
【００４０】
また、シーン０の設定を、被照射面照度が約８００ｌｘ（ルクス）を維持する旨に変更した場合（図１１（ｂ）を参照）、
シーン０：通常勤務時間帯で被照射面照度が約８００ｌｘ（ルクス）を維持し、制御目標値はＹ［Ｖ］となる。
シーン１：勤務時間前の時間帯でシーン０の約５０％（約４００ｌｘ）の照度を維持し、制御目標値はＹ［Ｖ］の０．５倍となる。
シーン２：昼休み時間帯でシーン０の約３０％（約２４０ｌｘ）の照度を維持し、制御目標値はＹ［Ｖ］の０．３倍となる。
シーン３：勤務時間終了後の時間帯（例えば残業時間帯）でシーン０の約７０％（約５６０ｌｘ）の照度を維持し、制御目標値はＹ［Ｖ］の０．７倍となる。
シーン４：特別作業の時間帯でシーン０の約１５０％（約１２００ｌｘ）の照度を維持し、制御目標値はＹ［Ｖ］の１．５倍となる。
【００４１】
以上の様に構成することにより、シーン０の被照射面照度を設定あるいは変更するだけで、設定するシーンの数量の大小に関わらず、各々のシーンに対する目標照度の設定を簡単に行うことが可能となる。また、タイマ機器１０からの再生命令とリモコン８からの再生命令とによりシーンを再生することが可能で、例えばオフィスなどでは簡単にスケジュール制御が可能となる。
【００４２】
（参考例１）
本発明に係る参考例１における、記憶部２での各シーンに対する記憶項目を図１２に示す。
【００４３】
図８乃至図１１に示した第８の実施の形態と異なる点は、記憶部２にて倍率を記憶する代わりに明るさセンサ３の制御目標値を記憶する様に構成したことであり、その他の第８の実施の形態と同一構成には同一符号を付すことにより説明を省略する。
【００４４】
この場合、図１２に示す様に、被照射面照度が約８００ｌｘ（ルクス）を維持する旨にシーン０の設定を変更しても、各シーン１〜４での操作部９の制御目標値はリモコン８からの記憶命令を受けたときに記憶したものとなり、つまり、シーン０の設定を変更する前のものとなり、図１２（ｂ）に示す様になる。よって、各シーン１〜４での被照射面照度もシーン０の設定を変更する前のものとなる。（シーン１は約５００ｌＸ、シーン２は約３００ｌｘ、シーン３は約７００ｌｘ、シーン４は約１５００ｌｘ）
（参考例２）
本発明に係る参考例２における、記憶部２での各シーンに対する記憶項目を図１３に示す。
【００４５】
図８乃至図１１に示した第８の実施の形態と異なる点は、記憶部２にて倍率を記憶する代わりに、各シーン再生時の制御目標値は一定（ここではＸ［Ｖ］）にし、明るさセンサ３の前面側に透過率可変制御が可能なフィルタ（例えば液晶フィルタ）を設けて、該フィルタの透過率αを記憶する様に構成したことであり、その他の第８の実施の形態と同一構成には同一符号を付すことにより説明を省略する。なお、フィルタの代わりに明るさセンサ３への入射量を制御するものであれば何でも良く、例えばスリットのようなものでも構わない。また、各シーンでのフィルタの透過率は図１３に示すようになる。（シーン０はα、シーン１はα／０．５、シーン２はα／０．３、シーン３はα／０．７、シーン４はα／１．５となる。）
（参考例３）
本発明に係る参考例３における、記憶部２での各シーンに対する記憶項目を図１４に示す。
【００４６】
図８乃至図１１に示した第８の実施の形態と異なる点は、記憶部２にて倍率を記憶する代わりに、各シーン再生時の制御目標値は一定（ここではＸ［Ｖ］）にし、明るさセンサ３の出力値を増幅する信号増幅器（ＡＭＰ）を設けて、該信号増幅器（ＡＭＰ）の増幅率βを記憶する様に構成したことであり、その他の第８の実施の形態と同一構成には同一符号を付すことにより説明を省略する。なお、図１５には該信号増幅器（ＡＭＰ）の設定の一例を示す。また、各シーンでの該信号増幅器（ＡＭＰ）の増幅率は図１４に示すようになる。（シーン０はβ、シーン１はβ／０．５、シーン２はβ／０．３、シーン３はβ／０．７、シーン４はβ／１．５となる。）
（実施の形態９）
本発明に係る第９の実施の形態における、記憶部２での各シーンに対する記憶項目を図１６、図１７に、動作説明図を図１８に示す。
【００４７】
図８乃至図１１に示した第８の実施の形態と異なる点は、人体検出部（以下、人感センサと呼ぶ。）とタイマ機器（以下、タイマと呼ぶ。）とを備え、人体検出の有無に応じて基準シーンを互いに異ならせる様にしたことであり、その他の第８の実施の形態と同一構成には同一符号を付すことにより説明を省略する。
【００４８】
以下、図１６乃至図１８を参照して動作を簡単に説明する。
ここでは、タイマのオンオフと人体検出の有無とに応じて、各シーンは次の様に設定される。
シーン１−１：タイマをオンする旨の信号且つ人体検出有りの旨の信号が制御部１に入力された状態で再生され、約９００ｌｘ（ルクス）を維持する。また、このときの明るさセンサ３の制御目標値は３．０Ｖとする。
シーン１−２：タイマをオンする旨の信号且つ人体検出無しの旨の信号が制御部１に入力された状態で再生され、シーン１−１を基準シーンとしてシーン１−１の約５０％（約４５０ｌｘ）の照度を維持する。このときの明るさセンサ３の制御目標値は３．０×５０％＝１．５Ｖとなる。
シーン２−１：タイマをオフする旨の信号且つ人体検出有りの旨の信号が制御部１に入力された状態で再生され、約７５０ｌｘ（ルクス）を維持する。また、このときの明るさセンサ３の制御目標値は２．５Ｖとする。
シーン２−２：タイマをオフする旨の信号且つ人体検出無しの旨の信号が制御部１に入力された状態で再生され、シーン２−１を基準シーンとしてシーン２−１の約１５％（約１１３ｌｘ）の照度を維持する。このときの明るさセンサ３の制御目標値は２．５×１５％＝０．３７５Ｖとなる。
【００４９】
（実施の形態１０）
本発明に係る第１０の実施の形態における、記憶部２での各シーンに対する記憶項目を図１９に示す。
【００５０】
図１６乃至図１８に示した第９の実施の形態と異なる点は、記憶部２での記憶項目であり、シーン２−１の基準シーンをシーン１−１としたことであり、その他の第１２の実施の形態と同一構成には同一符号を付すことにより説明を省略する。
【００５１】
以下、図１９を参照して動作を簡単に説明する。
ここでは、タイマのオンオフと人体検出の有無とに応じて、各シーンは次の様に設定される。
シーン１−１：タイマをオンする旨の信号且つ人体検出有りの旨の信号が制御部１に入力された状態で再生され、約９００ｌｘ（ルクス）を維持する。また、このときの明るさセンサ３の制御目標値は３．０Ｖとする。
シーン１−２：タイマをオンする旨の信号且つ人体検出無しの旨の信号が制御部１に入力された状態で再生され、シーン１−１を基準シーンとしてシーン１−１の約５０％（約４５０ｌｘ）の照度を維持する。このときの明るさセンサ３の制御目標値は３．０×５０％＝１．５Ｖとなる。
シーン２−１：タイマをオフする旨の信号且つ人体検出有りの旨の信号が制御部１に入力された状態で再生され、シーン１−１を基準シーンとしてシーン１−１の約８０％（約７２０ｌｘ）の照度を維持する。また、このときの明るさセンサ３の制御目標値は３．０×８０％＝２．４Ｖとなる。
シーン２−２：タイマをオフする旨の信号且つ人体検出無しの旨の信号が制御部１に入力された状態で再生され、シーン２−１を基準シーンとしてシーン２−１の約１５％（約１０８ｌｘ）の照度を維持する。このときの明るさセンサ３の制御目標値は２．４×１５％＝０．３６Ｖとなる。
【００５２】
（実施の形態１１）
本発明に係る第１１の実施の形態を以下に示す。
【００５３】
本実施の形態は、目標とするランプ出力に応じて、シーン再生時における明るさセンサ３の制御目標値の上限値と下限値とを設定したものである。近年、初期照度補正として初期状態のランプ定格出力の約７０％になるようなフィードバック制御を行うことが多い。初期状態のランプ定格出力の約７０％を基準シーンとした場合にランプの定格出力を満足する為には、明るさセンサ３の制御目標値を基準シーンの約１００／７０≒１．４３倍近傍（例えば１．５０倍）にすれば良い。（シーン再生時における明るさセンサ３の制御目標値の上限値を設定）また、ランプに点灯電力を供給する安定器の中には調光比の下限を設けているものも多い。その場合、仮に調光比下限が２５％であるとすると、これを満足するには、明るさセンサ３の制御目標値を基準シーンの約７０／２５≒０．３５倍近傍（例えば０．３０倍）にすれば良い。（シーン再生時における明るさセンサ３の制御目標値の下限値を設定）
（実施の形態１２）
本発明に係る第１２の実施の形態を以下に示す。
【００５４】
本実施の形態は、明るさセンサ３の検出値の範囲に応じて倍率設定の上限値を設定したものである。例えば、明るさセンサ３の検出値の範囲が０〜５［Ｖ］であって、シーン再生時における明るさセンサ３の制御目標値が２［Ｖ］の場合、これを満足するには、倍率の上限を５／２＝２．５倍にすれば良い。
【００５５】
なお、本発明に係る実施の形態は前述のものに限らず、本発明の作用効果を奏するものであれば、前記各実施の形態を適宜組み合わせたものであっても良い。また、制御部１、記憶部２、明るさセンサ３、照明器具４、シーン記憶・再生手段５、信号増幅器６、受信部７、リモコン８、操作部９、タイマ機器１０、人体検出部１１、人体検出部１２のいずれも、個数は、その用途などに応じて幾つでも良い。また、基準シーンは、外光成分を排除した状態で記憶させてもよく、外光成分を推測あるいは測定し、その外光成分を考慮した状態で記憶させてもよい。
【００５６】
【発明の効果】
請求項１乃至請求項８に記載の発明によれば、基準シーンの被照射面照度を設定あるいは変更するだけで、設定するシーンの数量の大小に関わらず、各々のシーンに対する目標照度の設定を簡単に行うことが可能な照明装置を提供できる。
【図面の簡単な説明】
【図１】本発明に係る第１の実施の形態におけるブロック構成図を示す。
【図２】本発明に係る第２の実施の形態におけるブロック構成図を示す。
【図３】本発明に係る第３の実施の形態におけるブロック構成図を示す。
【図４】本発明に係る第４の実施の形態におけるブロック構成図を示す。
【図５】本発明に係る第５の実施の形態におけるブロック構成図を示す。
【図６】本発明に係る第６の実施の形態におけるブロック構成図を示す。
【図７】本発明に係る第７の実施の形態におけるブロック構成図を示す。
【図８】本発明に係る第８の実施の形態におけるブロック構成図を示す。
【図９】本発明に係る第８の実施の形態における、記憶部２での各シーンに対する記憶項目を示す。
【図１０】本発明に係る第８の実施の形態における、タイミングチャートを示す。
【図１１】本発明に係る第８の実施の形態における、記憶部２での各シーンに対する別の記憶項目を示す。
【図１２】
本発明に係る参考例１における、記憶部２での各シーンに対する記憶項目を示す。
【図１３】  本発明に係る参考例２における、記憶部２での各シーンに対する記憶項目を示す。
【図１４】
本発明に係る参考例３における、記憶部２での各シーンに対する記憶項目を示す。
【図１５】  本発明に係る参考例３における、信号増幅器（ＡＭＰ）の設定の一例を示す。
【図１６】  本発明に係る第９の実施の形態における、記憶部２での各シーンに対する記憶項目を示す。
【図１７】  本発明に係る第９の実施の形態における、記憶部２での各シーンに対する別の記憶項目を示す。
【図１８】  本発明に係る第９の実施の形態における動作説明図を示す。
【図１９】  本発明に係る第１０の実施の形態における、記憶部２での各シーンに対する別の記憶項目を示す。
【符号の説明】
１    制御部
２    記憶部
３    明るさセンサ
４    照明器具
５    シーン記憶・再生手段
６    信号増幅器
７    受信部
８    リモコン
９    操作部
１０  タイマ機器
１１、１２  人体検出部
【図１】
0003736235.tif 000002
【図２】
0003736235.tif 000003
【図３】
0003736235.tif 000004
【図４】
0003736235.tif 000005
【図５】
0003736235.tif 000006
【図６】
0003736235.tif 000007
【図７】
0003736235.tif 000008
【図８】
0003736235.tif 000009
【図９】
0003736235.tif 000010
【図１０】
0003736235.tif 000011
【図１１】
0003736235.tif 000012
【図１２】
0003736235.tif 000013
【図１３】
0003736235.tif 000014
【図１４】
0003736235.tif 000015
【図１５】
0003736235.tif 000016
【図１６】
0003736235.tif 000017
【図１７】
0003736235.tif 000018
【図１８】
0003736235.tif 000019
【図１９】
0003736235.tif 000020